(57)【特許請求の範囲】
【請求項１】
ＩＳＭ周波数に対するＩＳＭアクティビティが進行中である場合、前記ＩＳＭ周波数と少なくとも一つの非サービングＬＴＥ周波数との間のデバイス内共存干渉の可能性を検出するステップと、
前記ＩＳＭ周波数と前記少なくとも一つの非サービングＬＴＥ周波数との間のデバイス内共存干渉の可能性を基地局に報告するステップと、
前記ＩＳＭアクティビティが完了する時点に対する情報を前記基地局に報告するステップと、を有する
ことを特徴とする方法。
【請求項２】
前記ＩＳＭ周波数に対する前記ＩＳＭアクティビティが進行中である場合、前記ＩＳＭ周波数と前記少なくとも一つの非サービングＬＴＥ周波数との間のデバイス内共存干渉の可能性を検出するステップは、
前記非サービングＬＴＥ周波数に対する測定を遂行するための非サービングＬＴＥ周波数のリストを前記基地局から受信するステップと、
構成された非サービングＬＴＥ周波数に対する前記測定を遂行するために前記受信されたリスト内の前記非サービングＬＴＥ周波数を構成するステップと、
前記ＩＳＭ周波数に対する前記ＩＳＭアクティビティが進行中である場合、前記ＩＳＭ周波数と前記少なくとも一つの非サービングＬＴＥ周波数との間のデバイス内共存干渉の可能性を検出するステップと、を有する
ことを特徴とする請求項１に記載の方法。
【請求項３】
前記ＩＳＭ周波数と前記少なくとも一つの非サービングＬＴＥ周波数との間のデバイス内共存干渉の前記可能性を前記基地局に報告するステップは、
前記ＩＳＭ周波数と前記少なくとも一つの非サービングＬＴＥ周波数との間のデバイス内共存干渉の前記可能性を前記基地局に報告するステップと、
前記デバイス内共存干渉の可能性を報告することに応答して前記基地局から測定再構成メッセージを受信するステップと、
前記構成された非サービングＬＴＥ周波数から前記少なくとも一つの非サービングＬＴＥ周波数を除去するステップと、を有し、
前記測定再構成メッセージは、前記少なくとも一つの前記非サービングＬＴＥ周波数を除去するための指示を含む
ことを特徴とする請求項２に記載の方法。
【請求項４】
前記ＩＳＭ周波数に対する前記ＩＳＭアクティビティが進行中である場合、前記ＩＳＭ周波数と少なくとも一つの非サービングＬＴＥ周波数との間のデバイス内共存干渉の前記可能性を検出するステップは、
非サービングＬＴＥ周波数のリストを有する第１の無線リソース接続（ＲＲＣ）再構成メッセージを前記基地局から受信するステップと、
構成された非サービングＬＴＥ周波数に対する測定を遂行するために前記受信されたリスト内の前記非サービングＬＴＥ周波数を構成するステップと、
前記ＩＳＭ周波数に対するＩＳＭアクティビティが進行中である場合、前記ＩＳＭ周波数と少なくとも一つの非サービングＬＴＥ周波数との間のデバイス内共存干渉の可能性を検出するステップと、を有する
ことを特徴とする請求項１に記載の方法。
【請求項５】
前記ＩＳＭ周波数と前記少なくとも一つの非サービングＬＴＥ周波数との間のデバイス内共存干渉の前記可能性を基地局に報告するステップは、前記ＩＳＭ周波数と前記少なくとも一つの非サービングＬＴＥ周波数との間のデバイス内共存干渉の前記可能性を示すＲＲＣ再構成完了メッセージを前記基地局に送信するステップを有する
ことを特徴とする請求項４に記載の方法。
【請求項６】
前記ＩＳＭ周波数と前記少なくとも一つの非サービングＬＴＥ周波数との間のデバイス内共存干渉の前記可能性を示すＲＲＣ再構成完了メッセージを前記基地局に送信するステップは、
前記ＲＲＣ再構成完了メッセージに応答して非サービングＬＴＥ周波数のアップデートリストを有する第２のＲＲＣ再構成メッセージを受信するステップと、
構成された非サービングＬＴＥ周波数に対する前記測定を遂行するために前記アップデートリスト内の前記非サービングＬＴＥ周波数を構成するステップと、をさらに有する
ことを特徴とする請求項５に記載の方法。
【請求項７】
前記ＩＳＭ周波数と前記少なくとも一つの非サービングＬＴＥ周波数との間のデバイス内共存干渉の可能性を示す前記ＲＲＣ再構成完了メッセージを前記基地局に送信するステップは、前記少なくとも一つの非サービングＬＴＥ周波数及び対応する測定ギャップを前記構成された非サービングＬＴＥ周波数のリストから、前記ＩＳＭアクティビティが進行中である間は解除（de-configured）されるように、除去するステップをさらに有する
ことを特徴とする請求項５に記載の方法。
【請求項８】
前記ＩＳＭ周波数に対する前記ＩＳＭアクティビティが進行中である場合、前記ＩＳＭ周波数と前記少なくとも一つの非サービングＬＴＥ周波数との間のデバイス内共存干渉の可能性を検出するステップは、
サービングＬＴＥ周波数から前記少なくとも一つの非サービングＬＴＥ周波数へのハンドオーバーを遂行するためのハンドオーバーコマンドを有する第１のＲＲＣ再構成メッセージを受信するステップと、
前記ＩＳＭ周波数に対する前記ＩＳＭアクティビティが進行中である場合、前記ＩＳＭ周波数と前記少なくとも一つの非サービングＬＴＥ周波数との間のデバイス内共存干渉の可能性を検出するステップと、を含み、
前記ＩＳＭ周波数と前記少なくとも一つの非サービングＬＴＥ周波数との間のデバイス内共存干渉の前記可能性を前記基地局に報告するステップは、
前記ＲＲＣ再構成メッセージ内の前記ハンドオーバーコマンドを拒否するステップと、
前記ＩＳＭ周波数と前記少なくとも一つの非サービングＬＴＥ周波数との間のデバイス内共存干渉の前記可能性を示すＲＲＣ再構成完了メッセージを前記基地局に送信するステップと、
前記サービングＬＴＥ周波数から、ＩＳＭアクティビティにより干渉を受けることも、前記ＩＳＭアクティビティに対してデバイス内共存干渉を引き起こすこともしない他の非サービングＬＴＥ周波数へのハンドオーバーを遂行するための新たなハンドオーバーコマンドを有する第２のＲＲＣ再構成メッセージを受信するステップと、を有する
ことを特徴とする請求項１に記載の方法。
【請求項９】
前記ＩＳＭ周波数と前記少なくとも一つの非サービングＬＴＥ周波数との間のデバイス内共存干渉の前記可能性は、測定レポートを通じて前記基地局に通知する
ことを特徴とする請求項１に記載の方法。
【請求項１０】
前記ＩＳＭ周波数に対する前記ＩＳＭアクティビティが進行中である場合、前記ＩＳＭ周波数と前記少なくとも一つの非サービングＬＴＥ周波数との間のデバイス内共存干渉の可能性を検出するステップは、
サービングＬＴＥ周波数から前記少なくとも一つの非サービングＬＴＥ周波数へのハンドオーバーを遂行するためのハンドオーバーコマンドを有するＲＲＣ再構成メッセージを受信するステップと、
前記ＩＳＭ周波数に対する前記ＩＳＭアクティビティが進行中である場合、前記ＩＳＭ周波数と前記少なくとも一つの非サービングＬＴＥ周波数との間のデバイス内共存干渉の可能性を検出するステップと、を含み、
前記ＩＳＭ周波数と前記少なくとも一つの非サービングＬＴＥ周波数との間のデバイス内共存干渉の前記可能性を前記基地局に報告するステップは、
前記ＲＲＣ再構成メッセージ内の前記ハンドオーバーコマンドを拒否するステップと、
前記基地局との無線リソース接続を再確立するためのＲＲＣ再確立手順をトリガするステップと、
前記ＩＳＭ周波数と前記少なくとも一つの非サービング周波数との間のデバイス内共存干渉の前記可能性を示すＲＲＣ再確立要求メッセージを送信するステップと、を有する
ことを特徴とする請求項１に記載の方法。
【請求項１１】
タイマー値の期間の間、前記少なくとも一つの非サービングＬＴＥ周波数と前記ＩＳＭ周波数との間におけるデバイス内共存干渉の前記可能性及び測定を防止するために前記少なくとも一つの非サービングＬＴＥ周波数が遮断され、
前記タイマー値を報告するステップの以後に、
前記タイマー値の満了時に前記基地局から非サービングＬＴＥ周波数のアップデートリストを受信するステップと、
測定を遂行するために前記非サービングＬＴＥ周波数のアップデートリスト内の前記非サービングＬＴＥ周波数を構成するステップと、を有し、
前記非サービングＬＴＥ周波数のアップデートリストは、前記少なくとも一つの非サービングＬＴＥ周波数を含む
ことを特徴とする請求項１に記載の方法。
【請求項１２】
測定を防止するために前記少なくとも一つの非サービングＬＴＥ周波数が遮断される期間であるタイマー値を設定するステップと、
前記タイマー値の満了時に前記構成された非サービングＬＴＥ周波数に前記除去された少なくとも一つの非サービングＬＴＥ周波数を付加するステップと、をさらに有する
ことを特徴とする請求項３に記載の方法。
【請求項１３】
前記ＩＳＭアクティビティが完了したことを前記基地局に指示するステップをさらに有する
ことを特徴とする請求項１に記載の方法。
【請求項１４】
サービングＬＴＥ周波数の信号品質がしきい値未満であるか否かを判定するステップと、
前記サービングＬＴＥ周波数の信号品質がしきい値未満である場合に、
測定のために前記少なくとも一つの非サービングＬＴＥ周波数を構成するための要求をトリガするステップと、
前記基地局から非サービングＬＴＥ周波数のアップデートリストを受信するステップと、
前記測定を遂行するために前記非サービングＬＴＥ周波数のアップデートリスト内の前記非サービングＬＴＥ周波数を構成するステップと、をさらに有し、
前記非サービングＬＴＥ周波数のアップデートリストは前記少なくとも一つの非サービングＬＴＥ周波数を含む
ことを特徴とする請求項１３に記載の方法。
【請求項１５】
前記構成された非サービングＬＴＥ周波数から前記少なくとも一つの非サービングＬＴＥ周波数を除去するステップは、前記少なくとも一つの非サービングＬＴＥ周波数に対する再構成要求を含むＲＲＣ再構成完了メッセージを前記基地局に送信するステップをさらに有する
ことを特徴とする請求項３に記載の方法。
【請求項１６】
前記構成される非サービングＬＴＥ周波数から前記少なくとも一つの非サービングＬＴＥ周波数を除去するステップは、
前記ＩＳＭアクティビティが完了し、サービングＬＴＥ周波数の信号品質がしきい値未満になる場合に、前記除去された少なくとも一つの非サービングＬＴＥ周波数が再構成されることを示す指示を前記基地局に送信するステップをさらに有する
ことを特徴とする請求項３に記載の方法。
【請求項１７】
前記共存干渉の前記可能性を検出するステップの以後に、
前記ＩＳＭアクティビティにより影響を受けない非サービングＬＴＥ周波数のうちいずれか一つに対する再選択手順を遂行するステップをさらに有し、
前記非サービングＬＴＥ周波数のうちいずれか一つは、前記ＩＳＭアクティビティにより影響を受ける前記少なくとも一つの非サービングＬＴＥ周波数より低い優先順位を有する
ことを特徴とする請求項１に記載の方法。
【請求項１８】
前記ＩＳＭ周波数と前記少なくとも一つの非サービングＬＴＥ周波数との間のデバイス内共存干渉の前記可能性を基地局に報告するステップは、無線リソース接続が確立され、前記ＩＳＭアクティビティにより影響を受けない非サービングＬＴＥ周波数にユーザー装置が移動する間に、前記ＩＳＭ周波数と前記少なくとも一つの非サービングＬＴＥ周波数との間のデバイス内共存干渉の前記可能性を前記基地局に報告するステップを有し、
前記ＩＳＭアクティビティにより影響を受けない前記非サービングＬＴＥ周波数は、前記無線リソース接続を確立するために前記ユーザー装置がキャンプされるＬＴＥ周波数である
ことを特徴とする請求項１に記載の方法。
【請求項１９】
プロセッサと、前記プロセッサに結合されたメモリとを含む装置であって、
前記メモリは、
ＩＳＭ周波数に対するＩＳＭアクティビティが進行中である場合、前記ＩＳＭ周波数と少なくとも一つの非サービングＬＴＥ周波数との間のデバイス内共存干渉の可能性を検出し、
前記ＩＳＭ周波数と前記少なくとも一つの非サービングＬＴＥ周波数との間のデバイス内共存干渉の可能性を基地局に報告し、また、
前記ＩＳＭアクティビティが完了する時点に対する情報を前記基地局に報告するように構成される干渉処理器を含む
ことを特徴とする装置。
【請求項２０】
前記干渉処理器は、前記非サービングＬＴＥ周波数に対する測定を遂行するための非サービングＬＴＥ周波数のリストを前記基地局から受信し、前記構成された非サービングＬＴＥ周波数に対する前記測定を遂行するために前記受信されたリスト内の前記非サービングＬＴＥ周波数を構成するように構成される請求項１９に記載の装置。
【請求項２１】
前記干渉処理器は、前記デバイス内共存干渉の可能性を報告することに応答して前記基地局から測定再構成メッセージを受信し、前記構成された非サービングＬＴＥ周波数から前記少なくとも一つの非サービングＬＴＥ周波数を除去するように構成され、
前記測定再構成メッセージは、少なくとも一つの非サービングＬＴＥ周波数を除去するという指示を含む
ことを特徴とする請求項２０に記載の装置。
【請求項２２】
前記干渉処理器は、前記ＩＳＭアクティビティが完了したことを前記基地局に示すように構成される
ことを特徴とする請求項２１に記載の装置。
【発明の詳細な説明】
【技術分野】
【０００１】
本発明は無線通信システムに関するもので、より詳細にはユーザー装置におけるデバイス内共存を処理する方法に関する。
【背景技術】
【０００２】
工業用、科学用、及び医療用(ＩＳＭ：Industrial，Scientific and Medical)(ブルートゥース(登録商標)、Ｗｉ-Ｆｉ(登録商標)など)帯域技術及びＧＮＳＳ(Global  Navigation  Satellite  Systems)とのＬＴＥ(Long  Term  Evolution)の共存は、これらがセルフォン（Cell Phones）のようなユーザー装置(ＵＥ)で非常に一般的な組み合わせとなるように提供するために必要である。これら各技術は、特定目的を提供するために異なるグループにより開発された。それぞれの技術の特性は異なる。これらは異なる周波数で動作し、異なるアクセスメカニズムを有し、異なるフレーム構造及び最大送信電力を有する。
【０００３】
これら技術がすべて隣接帯域(小さな離隔、例えば＜２０ＭＨｚ)で同時に動作する場合には、一般的に５０デシベル(ｄＢ)の隔離（Isolation）が要求される。しかしながら、ＵＥの小さなフォームファクタは、１０-３０ｄＢの隔離のみを提供する。その結果、一つのラジオの送信器は、他のラジオの受信器に深刻な影響を及ぼす。例えば、ＵＥの小さなフォームファクタは、ＬＴＥ又はＷｉＭａｘ(Worldwide  Interoperability  for  Microwave  Access)のようなセルラー技術の受信器に対して、ＩＳＭ技術の送信からデバイス内共存干渉(in-device  coexistence  interference)の深刻な問題をもたらす可能性がある。同様に、セルラー技術の送信器は、ＩＳＭ受信器に対して深刻なデバイス内共存干渉を引き起こす可能性がある。デバイス内共存問題の主な原因は、電力増幅器、アナログ-デジタルコンバータの限定されたダイナミックレンジによる受信器遮断と、不完全なフィルタリングによる帯域外放射（out of band emission）のためである。
【０００４】
＜ＬＴＥはブルートゥースと共に共存＞
図１Ａは、ＬＴＥとブルートゥースチャンネルとの間の分離を示した概略図である。
図１Ａを参照すると、ＬＴＥ帯域７のＵＬ及びブルートゥース帯域は、２０ＭＨｚ周波数帯域だけ離れている。帯域７は、ＦＤＤ(Frequency  Division  Duplexing)帯域であるので、ＬＴＥ受信器はブルートゥース送信器により影響を受けない反面、ＬＴＥ送信器はブルートゥース受信器に影響することができる。また、ＬＴＥ帯域４０(即ち、時分割複信(Time  Division  Duplexing：ＴＤＤ)帯域)とブルートゥース周波数帯域との間には非常に小さな２ＭＨｚの分離が存在する。したがって、共存の場合にＬＴＥ帯域４０のより高い部分を使用することを中断することが不可能である。
【０００５】
＜ＬＴＥはＷｉ-Ｆｉと共に共存＞
図１Ｂは、ＬＴＥとＷｉ-Ｆｉチャンネルとの間の分離を示す概略図である。
図１Ｂを参照すると、Ｗｉ-Ｆｉ作動のためのＩＳＭ帯域には区分されている１４チャンネルが存在する。１２ＭＨｚだけ分離されたチャンネル番号１４を除き、各チャンネルは、５ＭＨｚだけ分離される。チャンネル１は、２４０１ＭＨｚで開始され、これによってＬＴＥ帯域４０とＷｉ-Ｆｉとの間の分離がほぼ存在しない。Ｗｉ-Ｆｉのチャンネル１４は、２４９５ＭＨｚで終了し、それによって理論上ＬＴＥ帯域７とＷｉ-Ｆｉとの間で５ＭＨｚの分離のみが使用可能である。各国は、Ｗｉ-Ｆｉの許容チャンネルの個数に対して異なるポリシーを有する。現在、多くの国では、チャンネル１乃至１３を許容し、ＩＥＥＥ８０２.１１ｂ基盤の通信のためにはチャンネル番号１４の使用を許容している。これは、Ｗｉ-ＦｉとＬＴＥ帯域７との間で理論上５ＭＨｚ分離のみが使用可能であるにもかかわらず、実際には少なくとも１７ＭＨｚが使用可能であることを提案する。
図２は、ＩＳＭ周波数により影響を受けないＬＴＥ周波数とＩＳＭ周波数により影響を受ける他のＬＴＥ周波数との間のユーザー装置のハンドオーバー時にピンポンシナリオを示す概略図である。
【０００６】
図２を参照すると、現在知られているデバイス内共存を処理するソリューションは、ＴＤＭ(Time  Division  Multiplexing)基盤のソリューション、ＦＤＭ(Frequency  Division  Multiplexing)基盤のソリューション又は両側の組み合わせを含む。ＦＤＭ基盤のソリューションにおいて、ユーザー装置(ＵＥ)は、ＬＴＥ帯域のサービングＬＴＥ周波数とＩＳＭ帯域のＩＳＭ周波数との間のデバイス内共存干渉の存在を基地局に報告するように構成される。したがって、基地局は、ＩＳＭアクティビティにより影響を受けない、あるいはＩＳＭアクティビティに影響を及ぼさない異なる周波数にＵＥをハンドオーバーすることに決定する。また、ＩＳＭアクティビティが終了する場合、ＵＥは、同一の内容を基地局に通知する。
【発明の概要】
【発明が解決しようとする課題】
【０００７】
したがって、デバイス内共存をハンドリングする方法の必要が存在する。
上記情報は、本開示の理解を助けるための背景技術だけで開示される。上記記載が本発明と関連して先行技術として適用され得るかについては、いかなる決定も判断もなされていない。
本発明の側面らは、最小限上記言及された問題ら及び/または利点を解決するために、そして少なくとも以下で記載される利点を提供する。したがって、本発明の一側面は、ＵＥでデバイス内共存をハンドリングする方法を提供する。
一般的に、基地局は、測定を遂行するために一つ以上の非サービングＬＴＥ周波数を用いてＵＥを構成する。この測定は、これら周波数で遂行され、基地局は、上記測定に基づいてサービング周波数から一つ以上の非サービングＬＴＥ周波数のうちいずれかの周波数にＵＥをハンドオーバーできる。ハンドオーバーのために選択されたターゲットＬＴＥ周波数は、ＩＳＭアクティビティにより影響を受ける。しかしながら、基地局がターゲットＬＴＥ周波数へのハンドオーバーを遂行する場合、基地局は、ターゲットＬＴＥ周波数がＩＳＭアクティビティにより影響を受けること、又はＩＳＭアクティビティに影響を及ぼすようになることを知らない。結局、基地局は、ターゲットＬＴＥ周波数にＵＥのハンドオーバーを遂行する。したがって、ＵＥは、影響を受けたターゲットＬＴＥ周波数から離れるように基地局に要求できる。これは、図２に示したシナリオと同様に、ＩＳＭアクティビティにより影響を受けたＬＴＥ周波数とＩＳＭアクティビティにより影響を受けないＬＴＥ周波数との間のピンポン(ping-pong)を引き起こすという問題が発生する。
【課題を解決するための手段】
【０００８】
本発明の一実施形態によって方法が提供される。前記方法は、ＩＳＭ周波数に対するＩＳＭアクティビティが進行中である場合、ＩＳＭ周波数と少なくとも一つの非サービングＬＴＥ周波数との間のデバイス内共存干渉の可能性を検出するステップと、ＩＳＭ周波数と少なくとも一つの非サービングＬＴＥ周波数との間のデバイス内共存干渉の可能性を基地局に報告するステップとを有する。
【０００９】
本発明の他の実施形態によって装置が提供される。前記装置は、プロセッサと、プロセッサに結合されたメモリとを含む装置を提供する。ここで、メモリは、ＩＳＭ周波数に対するＩＳＭアクティビティが進行中である場合、ＩＳＭ周波数と少なくとも一つの非サービングＬＴＥ周波数との間のデバイス内共存干渉の可能性を検出し、ＩＳＭ周波数と少なくとも一つの非サービングＬＴＥ周波数との間のデバイス内共存干渉の可能性を基地局に報告するように構成される干渉処理器を含む。
【図面の簡単な説明】
【００１０】
【図１Ａ】本発明の内容において、ＬＴＥとブルートゥースチャンネルとの間の分離を示す概略図である。
【図１Ｂ】本発明の内容において、ＬＴＥとＷｉ-Ｆｉチャンネルとの間の分離を示す概略図である。
【図２】本発明の内容において、ＩＳＭ周波数により影響を受けないＬＴＥ周波数とＩＳＭ周波数により影響を受ける他のＬＴＥ周波数との間のユーザー装置のハンドオーバー時にピンポンシナリオを示す概略図である。
【図３】本発明の一実施形態により、ユーザー装置のために構成された一つ以上の非サービングＬＴＥ周波数とＩＳＭ周波数との間のデバイス内共存干渉を処理できる無線通信システムを示すブロック構成図である。
【図４】本発明の一実施形態により、ユーザー装置のために構成された一つ以上の非サービングＬＴＥ周波数とＩＳＭ周波数との間のデバイス内共存干渉を処理する方法を示す処理フローチャートである。
【図５】本発明の一実施形態により、ユーザー装置のために構成された一つ以上の非サービングＬＴＥ周波数とＩＳＭ周波数との間のデバイス内共存干渉を処理する方法のフローを示す図である。
【図６】本発明の他の実施形態により、ユーザー装置のために構成された一つ以上の非サービングＬＴＥ周波数とＩＳＭ周波数との間のデバイス内共存干渉を処理する方法のフローを示す図である。
【図７】本発明のもう一つの実施形態により、ユーザー装置のために構成された一つ以上の非サービングＬＴＥ周波数とＩＳＭ周波数との間のデバイス内共存干渉を処理する方法のフローを示す図である。
【図８】本発明のもう一つの実施形態により、ユーザー装置のために構成された一つ以上の非サービングＬＴＥ周波数とＩＳＭ周波数との間のデバイス内共存干渉を処理する方法のフローを示す図である。
【図９】本発明のもう一つの実施形態により、ユーザー装置のために構成された一つ以上の非サービングＬＴＥ周波数とＩＳＭ周波数との間のデバイス内共存干渉を処理する方法のフローを示す図である。
【図１０】本発明のもう一つの実施形態により、ユーザー装置のために構成された一つ以上の非サービングＬＴＥ周波数とＩＳＭ周波数との間のデバイス内共存干渉を処理する方法のフローを示す図である。
【図１１】本発明の実施形態によるコーディネータを示すブロック構成図である。
【発明を実施するための形態】
【００１１】
添付した図面は、単に例示的なものであり、本発明の範囲を制限するように解釈されてはならない。図面中、類似の図面参照符号は、類似の構成要素、特性、及び構造を意味することが分かるはずである。
【００１２】
添付の図面を参照した下記の説明は、特許請求の範囲の記載及びこれと均等なものの範囲内で定められるような本発明の実施形態の包括的な理解を助けるために提供するものであり、この理解を助けるために様々な特定の詳細を含むが、唯一つの実施形態に過ぎない。従って、本発明の範囲及び趣旨を逸脱することなく、ここに説明する実施形態の様々な変更及び修正が可能あるということは、当該技術分野における通常の知識を有する者には明らかである。また、明瞭性と簡潔性の観点から、当業者に良く知られている機能や構成に関する具体的な説明は、省略する。
なお、コンテキスト中に特記で明示されない限り、単数形“一つの”、“一”、及び“前記”、は、複数形を含むことは、当業者にはわかることである。したがって、例えば、“コンポーネント表面（a  component  surface）”との記載は、１つ又は複数の表面を含む。
“実際的に”という表現により、引用された特徴、パラメータ、又は値が正確に達成される必要がないことを意味する。しかしながら、例えば、誤差、測定誤り、特定正確度限界及び当業者にとって知られた他の要素を含む、偏差又は変化が、特徴が提供しようとする効果の発生を妨げない範囲で、発生し得る。
【００１３】
図３は、本発明の一実施形態により、ユーザー装置のために構成された一つ以上の非サービングＬＴＥ周波数とＩＳＭ周波数との間のデバイス内共存干渉を処理できる無線通信システム３００を示すブロック構成図である。図３を参照すると、無線通信システム３００は、ユーザー装置(ＵＥ)３０１と、無線ネットワーク(例えば、ＬＴＥネットワーク)３１２を介してＵＥ３０１に接続される基地局(例えば、ｅＮＢ(evolved  nodeB))３１０を含む。ＵＥ３０１は、ＬＴＥモジュール３０２、コーディネータ３０４、及びＩＳＭモジュール３０６を含む。
【００１４】
ＵＥ３０１は、接続モードで動作し、サービングＬＴＥ周波数を通じて基地局３１０とアップリンク及びダウンリンクデータ伝送を遂行することを考慮する。また、接続モードでＵＥ３０１の動作中に、基地局３１０は、ＵＥ３０１に対して非サービングＬＴＥ周波数を構成（configure）することによって、非サービングＬＴＥ周波数に対する測定を遂行することを考慮する。その後、基地局３１０は、非サービングＬＴＥ周波数のリストをＵＥ３０１に送信する。したがって、コーディネータ３０４は、対応する測定ギャップで測定を遂行するための非サービングＬＴＥ周波数を構成する。
【００１５】
接続モードでの動作中に、コーディネータ３０４は、ＩＳＭモジュール３０６によりＩＳＭアクティビティが遂行されるＩＳＭ周波数及び一つ以上の構成されている非サービングＬＴＥ周波数との間にデバイス内共存干渉の可能性が存在することを検出することを考慮する。したがって、コーディネータ３０４は、ＩＳＭアクティビティが進行中であり、一つ以上の非サービングＬＴＥ周波数とＩＳＭ周波数との間のデバイス内共存干渉が存在することを基地局３１０に報告する。したがって、基地局３１０は、ＩＳＭ周波数により影響を受ける一つ以上のサービングＬＴＥ周波数へのＵＥ３０１のハンドオーバーを遂行しないようにする。ハンドオーバーの場合に、基地局３１０は、デバイス内共存干渉の可能性を、ユーザー装置３０１のハンドオーバーが遂行される他の基地局に伝達できる。
【００１６】
ＩＳＭモジュール３０６は、進行中のＩＳＭアクティビティが完了する場合にターンオフされ得る。ＩＳＭモジュール３０６がターンオフされる場合、コーディネータ３０４は、ＩＳＭモジュール３０６がターンオフされることを検出し、それによってＩＳＭアクティビティが完了し、ＩＳＭモジュール３０６がターンオフされることを基地局３１０に報告する。したがって、コーディネータ３０４は、測定を遂行するための一つ以上の非サービングＬＴＥ周波数を再構成できる。また、基地局３１０は、ユーザー装置３０１からサービング周波数からのハンドオーバーのための一つ以上の非サービングＬＴＥ周波数のうち任意の周波数を考慮することができる。
【００１７】
あるいは、本発明の一実施形態において、基地局３１０は、測定遂行のために一つ以上の非サービングＬＴＥ周波数が遮断されるタイマー値を設定する。また、基地局３１０は、そのタイマー値をユーザー装置３０１に伝送する。さらに、基地局３１０は、タイマー値の満了時に非サービングＬＴＥ周波数に関するアップデートリストをユーザー装置３０１に送信する。ここで、アップデートリストは、ＩＳＭアクティビティにより以前に影響を受けた少なくとも一つの非サービングＬＴＥ周波数を含む。それによって、ユーザー装置３０１は、測定遂行のための上記アップデートリストの非サービングＬＴＥ周波数を構成する。
【００１８】
本発明の他の実施形態において、ユーザー装置３０１は、測定遂行のために少なくとも一つの非サービングＬＴＥ周波数が遮断される期間であるタイマー値を設定する。ＵＥ３０１は、タイマー値を基地局３１０に伝達し、少なくとも一つの非サービングＬＴＥ周波数とＩＳＭ周波数との間のデバイス内共存干渉の可能性を上記基地局に報告する。基地局３１０は、タイマー値の満了時に非サービングＬＴＥ周波数のアップデートリストを送信し、ここで非サービング周波数のアップデートリストは、少なくとも一つの非サービングＬＴＥ周波数を含む。したがって、ユーザー装置３０１は、測定遂行のための上記アップデートリストの非サービングＬＴＥ周波数を構成する。
【００１９】
本発明のもう一つの実施形態において、ＵＥ３０１は、測定のために少なくとも一つの非サービングＬＴＥ周波数が遮断される期間であるタイマー値を設定する。また、ＵＥ３０１は、タイマー値の満了時の測定遂行のために非サービングＬＴＥ周波数のリストに、除去された少なくとも一つの非サービングＬＴＥ周波数を付加する。
【００２０】
本発明の上記実施形態において、タイマー値の満了はＩＳＭアクティビティが完了したことを示す。すなわち、タイマー値の満了は、ＩＳＭモジュール３０６がターンオフされることによって一つ以上の非サービングＬＴＥ周波数がＩＳＭアクティビティによりこれ以上影響を受ける可能性がないことを示す。したがって、ＵＥ３０１は、以前に影響を受けた非サービングＬＴＥ周波数に対する測定を遂行でき、基地局３１０は、タイマー値の満了(すなわち、ＩＳＭアクティビティの完了)時にユーザー装置３０１からのサービング周波数からハンドオーバーのために一つ以上の非サービングＬＴＥ周波数のうちいずれかの周波数を考慮することができる。
【００２１】
図４は、本発明の一実施形態により、ユーザー装置３０１のために構成されたＩＳＭ周波数と一つ以上の非サービングＬＴＥ周波数との間のデバイス内共存干渉を処理する例示的方法を示す処理フローチャート４００である。図４を参照すると、ステップ４０２において、測定遂行のために構成される非サービングＬＴＥ周波数のリストが基地局３１０から受信される。ステップ４０４において、受信されたリスト内の非サービングＬＴＥ周波数がユーザー装置３０１により構成される。
【００２２】
ＬＴＥモジュール３０２がサービングＬＴＥ周波数でＬＴＥアクティビティを遂行する場合、制御器３０４は、ＩＳＭ周波数でＩＳＭアクティビティを遂行するためにＩＳＭモジュール３０６がスイッチオされると判定する。このような場合、ステップ４０６において、ＵＥは、一つ以上の非サービングＬＴＥ周波数とＩＳＭ周波数との間のデバイス内共存干渉の可能性を検出する。それによって、ステップ４０８において、一つ以上の非サービングＬＴＥ周波数とＩＳＭ周波数と間のデバイス内共存干渉の可能性が基地局に報告される。
【００２３】
ステップ４１０において、構成された非サービングＬＴＥ周波数のリストから一つ以上の非サービングＬＴＥ周波数を除去するという指示(instruction)を有する応答メッセージは、基地局３１０から受信される。ステップ４１２において、一つ以上の非サービングＬＴＥ周波数及び対応する測定ギャップは、ユーザー装置３０１により構成された非サービングＬＴＥ周波数のリストから除去される。他の実施形態では、一つ以上の非サービングＬＴＥ周波数及び対応する測定ギャップは、デバイス内共存干渉の可能性を検出するときにユーザー装置３０１により上記リストから自動に除去される。すなわち、一つ以上の非サービングＬＴＥ周波数は、ＩＳＭ周波数でＩＳＭアクティビティが進行中であるまで測定遂行のために解除(de-configured)される。
【００２４】
本発明の一実施形態において、ユーザー装置３０１は、測定ギャップで進行中であるＩＳＭアクティビティにより影響を受けた一つ以上の非サービングＬＴＥ周波数で測定を遂行することを防止する。本発明の他の実施形態において、基地局３１０は、進行中のＩＳＭアクティビティによるサービング周波数から一つ以上の非サービングＬＴＥ周波数のうち任意の周波数へのハンドオーバー遂行を防止する。ＩＳＭアクティビティが完了する場合、ユーザー装置３０１は、ＩＳＭアクティビティが完了し、一つ以上の非サービングＬＴＥ周波数とＩＳＭ周波数との間のデバイス内共存干渉の可能性が存在しないことを知らせる。したがって、ユーザー装置３０１は、測定遂行のための一つ以上の非サービングＬＴＥ周波数を再構成できる。また、基地局３１０は、ユーザー装置３０１からの測定報告に基づいてサービング周波数からのハンドオーバーのために一つ以上の非サービングＬＴＥ周波数のうちいずれかの周波数を考慮することができる。
【００２５】
図５は、本発明の一実施形態により、ユーザー装置３０１のために構成されたＩＳＭ周波数と一つ以上の非サービングＬＴＥ周波数との間のデバイス内共存干渉を処理する方法のフロー５００を示す。図５を参照すると、ステップ５０２において、基地局３１０が測定遂行のための非サービングＬＴＥ周波数を構成する。ステップ５０４において、基地局３１０は、非サービングＬＴＥ周波数のリストをユーザー装置３０１に送信する。ステップ５０６において、ユーザー装置３０１は、対応する測定ギャップに測定遂行のための非サービングＬＴＥ周波数を構成する。
【００２６】
ステップ５０８において、ユーザー装置３０１は、ＩＳＭモジュール３０６によりＩＳＭアクティビティが遂行されるＩＳＭ周波数と一つ以上の構成された非サービングＬＴＥ周波数との間のデバイス内共存干渉が存在することを検出する。ステップ５１０において、ユーザー装置３０１は、ＩＳＭアクティビティが進行中であり、一つ以上の非サービングＬＴＥ周波数とＩＳＭ周波数との間のデバイス内共存干渉が存在する可能性があることを、測定レポート又は任意の他の新たなメッセージで基地局３１０に報告する。例えば、ＵＥ３０１は、測定結果が使用可能な場合にデバイス内共存干渉の可能性が存在することを示す測定レポートを送信し、あるいはデバイス内共存干渉の可能性を検出した場合に新たなメッセージを通じて指示を送信することができる。したがって、基地局３１０は、ＩＳＭ周波数により影響を受ける一つ以上のサービングＬＴＥ周波数へのユーザー装置３０１のハンドオーバーを遂行しないようにする。
【００２７】
基地局３１０は、ユーザー装置３０１のハンドオーバーが遂行される他の基地局に、デバイス内共存干渉の可能性を伝達することができる。また、測定を遂行するための任意の測定ギャップが存在する場合、ＵＥ３０１と基地局３１０は、基地局３１０と同時に通信することによって測定ギャップを継続するか、あるいは中断することができる。例えば、ＵＥ３０１は、ＩＳＭアクティビティにより影響を受ける非サービングＬＴＥ周波数がより強いと観測される場合にその情報を測定レポートの一部として送信することができる。
【００２８】
ＩＳＭモジュール３０６は、進行中であるＩＳＭアクティビティが完了した場合にターンオフされる。ＩＳＭモジュール３０６がターンオフされた場合、ステップ５１２で、ユーザー装置３０１は、ＩＳＭモジュール３０６がターンオフされることを検出する。ステップ５１４において、ユーザー装置３０１は、ＩＳＭアクティビティが完了し、ＩＳＭモジュール３０６がターンオフされることを基地局３１０に報告する。したがって、ユーザー装置３０１は、測定を遂行するための一つ以上の非サービングＬＴＥ周波数を再構成できる。また、基地局３１０は、ユーザー装置３０１からの測定レポートに基づいてサービング周波数からのハンドオーバーのための一つ以上の非サービングＬＴＥ周波数のいずれかの周波数を考慮することができる。
【００２９】
図６は、本発明の一実施形態により、ユーザー装置のために構成されるＩＳＭ周波数と一つ以上の非サービングＬＴＥ周波数との間のデバイス内共存干渉を処理する方法のフロー６００を示す。図６を参照すると、ステップ６０２において、基地局３１０は、測定遂行のための非サービングＬＴＥ周波数を構成する。ステップ６０４において、基地局３１０は、非サービングＬＴＥ周波数のリストを有する無線リソース接続(Radio  Resource  Connection：ＲＲＣ)再構成メッセージをユーザー装置３０１に送信する。ステップ６０６において、ユーザー装置３０１は、対応する測定ギャップで測定遂行のためのＲＲＣ再構成メッセージにリストされた(listed)非サービングＬＴＥ周波数を構成する。
【００３０】
ステップ６０８において、ユーザー装置３０１は、ＩＳＭモジュール３０６によりＩＳＭアクティビティが遂行されるＩＳＭ周波数と一つ以上の構成された非サービングＬＴＥ周波数との間のデバイス内共存干渉の可能性が存在することを検出する。ステップ６１０において、ユーザー装置３０１は、ＩＳＭアクティビティが進行中であり、一つ以上の非サービングＬＴＥ周波数とＩＳＭ周波数との間のデバイス内共存干渉の可能性が存在することを測定レポートで基地局３１０に報告する。ステップ６１２において、基地局３１０は、測定遂行のために構成された非サービングＬＴＥ周波数のリストから一つ以上の非サービングＬＴＥ周波数を除去する指示を有する測定再構成メッセージを送信する。ステップ６１４において、ユーザー装置３０１は、測定再構成メッセージに基づいて、構成された非サービングＬＴＥ周波数のリストから一つ以上の非サービングＬＴＥ周波数を除去する。
【００３１】
ＩＳＭモジュール３０６は、進行中のＩＳＭアクティビティが完了する場合にターンオフされる。ＩＳＭモジュール３０６がターンオフされる場合、ステップ６１６で、ユーザー装置３０１は、ＩＳＭモジュール３０６がターンオフされることを検出する。ステップ６１８において、ユーザー装置３０１は、ＩＳＭアクティビティが完了し、ＩＳＭモジュール３０６がターンオフされることを基地局３１０に報告する。したがって、ユーザー装置３０１は、測定を遂行するための一つ以上の非サービングＬＴＥ周波数を再構成できる。また、基地局３１０は、ユーザー装置３０１からの測定レポートに基づいてサービング周波数からのハンドオーバーのための一つ以上の非サービングＬＴＥ周波数のうち任意の周波数を考慮することができる。
【００３２】
図７は、本発明の一実施形態により、ユーザー装置のために構成されたＩＳＭ周波数と一つ以上の非サービングＬＴＥ周波数との間のデバイス内共存干渉を処理する例示的方法のフロー７００を示す。図７を参照すると、ステップ７０２において、基地局３１０は、測定遂行のための非サービングＬＴＥ周波数を構成する。ステップ７０４において、基地局３１０は、非サービングＬＴＥ周波数のリストを有するＲＲＣ再構成メッセージをユーザー装置３０１に送信する。ステップ７０６において、ユーザー装置３０１は、対応する測定ギャップに測定遂行のためのＲＲＣ再構成メッセージにリストされた非サービングＬＴＥ周波数を構成する。
【００３３】
ステップ７０８において、ユーザー装置３０１は、ＩＳＭモジュール３０６によりＩＳＭアクティビティが遂行されるＩＳＭ周波数と一つ以上の構成された非サービングＬＴＥ周波数との間にデバイス内共存干渉の可能性が存在することを検出する。ステップ７１０において、ユーザー装置３０１は、ＩＳＭアクティビティが進行中であり、一つ以上の非サービングＬＴＥ周波数とＩＳＭ周波数との間のデバイス内共存干渉の可能性が存在することを示すＲＲＣ再構成完了メッセージを基地局３１０に送信する。一実施形態において、ＲＲＣ再構成メッセージは、ＩＳＭアクティビティにより一つ以上の非サービングＬＴＥ周波数が影響を受けたことを示す新たな拒否原因(new  rejection  cause)及びＩＳＭアクティビティにより影響を受けた一つ以上の非サービングＬＴＥ周波数のリストを示す情報要素を含む。
【００３４】
ステップ７１２において、基地局３１０は、非サービングＬＴＥ周波数に関するアップデートリストを有する新たなＲＲＣ再構成メッセージを送信する。非サービングＬＴＥ周波数に関するアップデートリストは進行中であるＩＳＭアクティビティにより影響を受けた一つ以上の非サービングＬＴＥ周波数を除く。ステップ７１４において、ユーザー装置３０１は、測定遂行のために非サービングＬＴＥ周波数に関するアップデートリストから非サービングＬＴＥ周波数を構成する。
【００３５】
図８は、本発明の一実施形態により、ユーザー装置のために構成されたＩＳＭ周波数と一つ以上の非サービングＬＴＥ周波数との間のデバイス内共存干渉を処理する方法のフロー８００を示す。図８を参照すると、ステップ８０２において、基地局３１０は、測定遂行のための非サービングＬＴＥ周波数を構成する。ステップ８０４において、基地局３１０は、非サービングＬＴＥ周波数のリストを有するＲＲＣ再構成メッセージをユーザー装置３０１に送信する。ステップ８０６において、ユーザー装置３０１は、対応する測定ギャップで測定遂行のためにＲＲＣ再構成メッセージにリストされた非サービングＬＴＥ周波数を構成する。
【００３６】
ステップ８０８において、ユーザー装置３０１は、ＩＳＭモジュール３０６によりＩＳＭアクティビティが遂行されるＩＳＭ周波数と一つ以上の構成された非サービングＬＴＥ周波数との間のデバイス内共存干渉の可能性が存在することを検出する。ステップ８１０において、ユーザー装置３０１は、ＩＳＭアクティビティが進行中であり、一つ以上の非サービングＬＴＥ周波数とＩＳＭ周波数との間のデバイス内共存干渉の可能性が存在することを示すＲＲＣ再構成完了メッセージを基地局３１０に送信する。一実施形態の実現において、ＲＲＣ再構成メッセージは、ＩＳＭアクティビティにより一つ以上の非サービングＬＴＥ周波数が影響を受けたことを示す新たな拒否原因及びＩＳＭアクティビティにより影響を受けた一つ以上の非サービングＬＴＥ周波数のリストを示す情報要素を含む。たとえ、ＲＲＣ再構成が、ＵＥ３０１により拒否されても、基地局３１０とＵＥ３０１との間の接続は、維持され、それによっていかなる接続再確立が遂行される必要がない。
【００３７】
ステップ８１２において、ユーザー装置３０１は、構成された非サービングＬＴＥ周波数のリストから一つ以上の非サービングＬＴＥ周波数及び対応する測定ギャップを除去する。ＵＥ３０１は、ＩＳＭアクティビティにより影響を受けない他の非サービングＬＴＥ周波数に続けて測定を遂行できることに注目することができる。
【００３８】
図９は、本発明の一実施形態により、ユーザー装置のために構成されたＩＳＭ周波数と一つ以上の非サービングＬＴＥ周波数との間のデバイス内共存干渉を処理する方法のフロー９００を示す。図９を参照すると、ステップ９０２において、基地局３１０は、測定遂行のための非サービングＬＴＥ周波数を構成する。ステップ９０４において、基地局３１０は、サービングＬＴＥ周波数から構成された非サービングＬＴＥ周波数にハンドオーバーを遂行するためのハンドオーバーコマンド(handover  command)を有するＲＲＣ再構成メッセージを送信する。
【００３９】
ステップ９０６において、ユーザー装置３０１は、ＩＳＭモジュール３０６によりＩＳＭアクティビティが遂行されるＩＳＭ周波数と非サービングＬＴＥ周波数との間のデバイス内共存干渉の可能性が存在することを検出する。ステップ９０８において、ユーザー装置３０１は、ＲＲＣ再構成メッセージ内のハンドオーバーコマンドを拒否する。ステップ９１０において、ユーザー装置３０１は、ＩＳＭアクティビティが進行中であり、非サービングＬＴＥ周波数とＩＳＭ周波数との間のデバイス内共存干渉の可能性が存在することを示すＲＲＣ再構成完了メッセージを基地局３１０に伝送する。一実施形態において、ＲＲＣ再構成メッセージは、ＩＳＭアクティビティによりターゲット非サービングＬＴＥ周波数が影響を受けることを示す新たな拒否原因を含む。ステップ９１２において、基地局３１０は、サービングＬＴＥ周波数から、進行中のＩＳＭアクティビティにより影響を受けない他の非サービングＬＴＥ周波数へのハンドオーバーを遂行するためのハンドオーバーコマンドを有する新たなＲＲＣ再構成メッセージを送信する。
【００４０】
ＲＲＣ再構成メッセージが拒否される場合、ＲＲＣ接続が再確立される必要がある。しかしながら、本発明の一実施形態によれば、ＵＥ３０１と基地局３１０との間でＲＲＣ接続を再確立する必要はない。また、ＲＲＣ再構成メッセージがハンドオーバーのためのものである場合、ソースセル(source  cell)は、ＵＥ３０１により伝送される後続メッセージをリスニング(listening)しないこともある。その結果、成功がターゲットセルにより受信されるか、あるいは接続再確立を必要とする失敗がターゲットセルにより受信されることができる。
【００４１】
図１０は、本発明の一実施形態により、ユーザー装置のために構成されたＩＳＭ周波数と一つ以上の非サービングＬＴＥ周波数との間のデバイス内共存干渉を処理するための方法のフローである。図１０を参照すると、ステップ１００２において、基地局３１０は、測定遂行のための非サービングＬＴＥ周波数を構成する。ステップ１００４において、基地局３１０は、サービングＬＴＥ周波数から構成された非サービングＬＴＥ周波数にハンドオーバーを遂行するためのハンドオーバーコマンドを有するＲＲＣ再構成メッセージを伝送する。
【００４２】
ステップ１００６において、ユーザー装置３０１は、ＩＳＭモジュール３０６によりＩＳＭアクティビティが遂行されるＩＳＭ周波数と非サービングＬＴＥ周波数との間にデバイス内共存干渉の可能性が存在することを検出する。ステップ１００８において、ユーザー装置３０１は、ＲＲＣ再構成メッセージ内のハンドオーバーコマンドを拒否する。ステップ１０１０において、ユーザー装置３０１は、基地局３１０との無線リソース接続を再確立するためのＲＲＣ再確立手順をトリガする。ステップ１０１２において、ユーザー装置３０１は、ＩＳＭアクティビティが進行中であり、非サービングＬＴＥ周波数とＩＳＭ周波数との間にデバイス内共存干渉の可能性が存在することを示すＲＲＣ再確立要求メッセージを基地局３１０に送信する。一実施形態の実現において、ＲＲＣ再確立要求メッセージは、ＩＳＭアクティビティによりターゲット非サービングＬＴＥ周波数が影響を受けるため、ＲＲＣ再確立手順がトリガされることを示す新たな拒否の原因を含む。
【００４３】
図１１は、本発明の一実施形態によるコーディネータを示すブロック構成図である。図１１を参照すると、コーディネータ３０４は、プロセッサ１１０２、メモリ１１０４、ＲＯＭ１１０６、バス１１０８、及び通信インターフェース１１１０を含む。
【００４４】
ここで使用されるプロセッサ１１０２は、マイクロプロセッサ、マイクロ制御器、複雑命令セットコンピュータマイクロプロセッサ、縮小命令セットコンピュータマイクロプロセッサ、非常に長い命令語マイクロプロセッサ、明示上並列命令コンピュータマイクロプロセッサ、グラフィックプロセッサ、デジタル信号プロセッサのような任意のタイプの演算回路、または他のタイプの処理回路を意味するが、これに限定されるものではない。また、プロセッサ１１０２は、組み込みの(embedded)制御器、例えばジェネリック(generic)又はプログラマブル論理デバイスやアレイ、ＡＳＩＣ(Application Specific Integrated Circuit)、シングルチップコンピュータ、スマートカードなどを含むことができる。
【００４５】
メモリ１１０４は、揮発性メモリと非揮発性メモリであり得る。メモリ１１０４は、図３及び図１０に示した実施形態による、非サービングＬＴＥ周波数とＩＳＭ周波数との間のデバイス内共存干渉を処理するための干渉処理器１１１２を含む。多様なコンピュータ読み取り可能な記録媒体が格納され、そのメモリ要素からアクセスすることができる。メモリ要素は、データと機械読み取り可能な命令(machine-readable  instruction)を格納する適切なメモリデバイス、例えば、ＲＯＭ(Read  Only Memory)、ＲＡＭ(Random  Access  Memory)、ＥＰＲＯＭ(Erasable  Programmable  Read  Only  Memory)、ＥＥＰＲＯＭ(Electrically  Erasable  Programmable  Read  Only  Memory)、ハードドライブ、メモリカード処理用脱着式媒体ドライブ、及びメモリスティック(登録商標)を含むことができる。
【００４６】
本発明の実施形態は、作業を遂行し、抽象データ型又は低レベルハードウェアコンテキストを定義するための、関数、手順、データ構造、及びアプリケーションプログラムを含むモジュールと共に実現することができる。上述した記録媒体のうちいずれかに格納される機械読み取り可能な命令は、プロセッサ１１０２により実行可能である。例えば、コンピュータプログラムは、ここに記述した本発明の実施形態と教示に従って、非サービングＬＴＥ周波数とＩＳＭ周波数との間でデバイス内共存干渉を処理できる機械読み取り可能な命令を含むことができる。本発明の一実施形態では、コンピュータプログラムは、記録媒体に含まれ、非揮発性メモリでこの記録媒体からハードドライブにローディングできる。
【００４７】
図３乃至図１１に示した一つ以上の実施形態によれば、基地局３１０がハンドオーバーを起こすために隣接する周波数セル間に対するＵＥ３０１からのいくつかの測定を要求するため、ＵＥ３０１はサービングセルの信号品質がしきい値未満に低下される場合、隣接する周波数セル(例えば、非サービングＬＴＥ周波数)間に対する測定を開始する。したがって、ＩＳＭアクティビティが完了した場合、ＵＥ３０１は、測定遂行のための少なくとも一つの非サービングＬＴＥ周波数を構成するための要求をトリガする。これに対して、ＵＥ３０１は、基地局３１０から非サービングＬＴＥ周波数に関するアップデートリストを受信する。ここで、非サービング周波数に関するアップデートリストは、少なくとも一つの非サービングＬＴＥ周波数を含む。それによって、ＵＥ３０１は、測定遂行のために非サービングＬＴＥ周波数に関するアップデートリストに非サービングＬＴＥ周波数を構成する。
【００４８】
また、基地局３１０は、非サービングＬＴＥ周波数を構成し、その構成以前に影響を受けた非サービングＬＴＥ周波数が遮断された場合には、ＵＥ３０１は、測定遂行のために遮断された非サービングＬＴＥ周波数を構成するための要求を基地局３１０送信でき、これはサービング周波数からなされることができる。例えば、ＵＥ３０１は、接続再構成完了メッセージ内の情報要素及び/又は新たな原因のうちいずれか一つを使用して上記要求を基地局３１０に伝達することができる。
【００４９】
また、新たな測定再構成が存在せず、サービングセルの信号品質がしきい値未満に低下してＩＳＭモジュール３０６がターンオフされる場合、ＵＥ３０１は、遮断された非サービングＬＴＥ周波数が測定遂行のために再構成される指示を基地局３１０に送信できる。
【００５０】
アイドルモードで、ＵＥは、一般的にセル再選択を遂行することによって基地局３１０に接続した状態を維持し、ページングを受信し、システム情報などを読み取る。セル再選択を遂行するための決定は、サービングセル信号強度、隣接するランキング、及びネットワーク提供されたセル再選択優先順位に基づく。ネットワーク提供された再選択優先順位のため、ＵＥ３０１は、ＩＳＭアクティビティにより影響を受けるＬＴＥ周波数を再選択するように強要され、それによって以後の接続及びＦＤＭベースソリューションのトリガにおいて問題が発生することがある。
【００５１】
本発明の一実施形態において、高い優先順位となるようにネットワークがシグナルリングしても、ＵＥ３０１は、その干渉中であるか、あるいは干渉されているＬＴＥ周波数の優先順位が該当ネットワークにより与えられた優先順位より低くなることを考慮するので、ＵＥ３０１は、ＩＳＭアクティビティにより干渉を受けないＬＴＥ周波数に対する再選択手順を遂行する。これは、一つの周波数より多くの周波数が再選択に使用可能であるときに有利である。上記ルール(rule)は、干渉されない周波数を優先的に処理する。さらに、影響を受けたＬＴＥ周波数のみが再選択に使用可能である場合、セル再選択手順は、サービングセルが低い信号強度を有する場合に限り、このＬＴＥ周波数が再選択されるようにする。
【００５２】
他の実施形態において、ＵＥ３０１が与えられ、かつ有効である場合、ネットワークが高い優先順位となるようにシグナリングしても、ＵＥ３０１は干渉中であるか、あるいは干渉されているＬＴＥ周波数の優先順位がサービングＬＴＥ周波数の優先順位より低くなるようにすることを考慮するので、ＩＳＭアクティビティにより干渉を受けないＬＴＥ周波数を強制的に再選択するようになる。
【００５３】
基地局３１０に接続を設定する場合、ＵＥ３０１は、ＬＴＥ周波数でキャンプされ(camped)、あるいはＵＥ３０１が接続確立を試みるＬＴＥ周波数がＩＳＭアクティビティにより影響を受けるようになる。このような場合、ＵＥ３０１は、接続確立の終端でＦＤＭ基盤のソリューションをトリガできる。ＦＤＭソリューションがハンドオフのトリガリングを必要とし、ハンドオフは、測定及び相当な遅延を含むセキュリティ手順の完了以後に発生する。その結果、上記接続は、ドロッピングされ得る。
【００５４】
一実施形態において、ＵＥ３０１は、無線リソース接続確立の時点でのキャンプされるＬＴＥ周波数に対するＩＳＭ干渉を知っている場合、ＵＥ３０１は、ＲＲＣ接続要求メッセージ又はＲＲＣ接続セットアップ完了メッセージ内にＩＳＭ周波数とキャンプされたＬＴＥ周波数との間のデバイス内共存干渉の可能性を伝達する。この指示に基づき、基地局３１０は、ＩＳＭ周波数によりキャンプされたＬＴＥ周波数が影響を受け、ＩＳＭモジュール３０６はオンであることを認知するようになる。したがって、基地局３１０は、ＩＳＭ周波数により影響を受けないＬＴＥ周波数にＵＥ３０１を移動させ得る。移動は、リダイレクト(redirection)及び専用セル再選択優先順位のような解除(release)メッセージに必要なパラメータを提供することによって接続を解除したり、あるいは測定及びハンドオーバー手順を加速化することで遂行できる。
【００５５】
本発明は、特定の例示的実施形態を参照して説明したが、添付請求範囲及びそれらの均等物により定義される発明の思想及び範囲から逸脱することなく、形式及び細部事項においての多様な変形がなされることは当業者にとって理解されるはずである。
【符号の説明】
【００５６】
３００  無線通信システム
３０１  ユーザー装置(ＵＥ) 
３０２  ＬＴＥモジュール
３０４  コーディネータ
３０６  ＩＳＭモジュール
３１０  基地局
３１２  無線ネットワーク
【図１Ａ】
0005921573.tif 000002
【図１Ｂ】
0005921573.tif 000003
【図２】
0005921573.tif 000004
【図３】
0005921573.tif 000005
【図４】
0005921573.tif 000006
【図５】
0005921573.tif 000007
【図６】
0005921573.tif 000008
【図７】
0005921573.tif 000009
【図８】
0005921573.tif 000010
【図９】
0005921573.tif 000011
【図１０】
0005921573.tif 000012
【図１１】
0005921573.tif 000013